(57)【要約】【課題】十分に広い温度領域で使用可能であり、且つ金属製部材との適合性や潤滑性に優れた工作機械温度制御用水性媒体液を提供すること。【解決手段】水を基材とし、媒体液全量基準で、（Ａ）数平均分子量５０００〜２００００のポリオキシアルキレン化合物１〜２０質量％と、（Ｂ）ベンゾトリアゾール及び／又はその誘導体０．００５〜０．１質量％と、（Ｃ）プロピレングリコール及び／又はジエチレングリコール５〜３０質量％とを含有することを特徴とする。【選択図】　なし【特許請求の範囲】
【請求項１】
水を基材とし、媒体液全量基準で、
（Ａ）数平均分子量５０００〜２００００のポリオキシアルキレン化合物１〜２０質量％と、
（Ｂ）ベンゾトリアゾール及び／又はその誘導体０．００５〜０．１質量％と、
（Ｃ）プロピレングリコール及び／又はジエチレングリコール５〜３０質量％とを含有することを特徴とする工作機械温度制御用水性媒体液。
【発明の詳細な説明】
【０００１】
【発明の属する技術分野】
本発明は、工作機械内を循環して作動中の工作機械の温度を制御する水性媒体液に関するものである。
【０００２】
【従来の技術】
近年、機械加工の分野においてはサブミクロン単位の精密な工作精度が要求されるようになっている。工作精度を高水準に維持するためには、工作機械の作動を厳密に調整するだけでなく、温度変化により工作機械の構成部品が膨張／収縮しないように工作機械の温度を安定化する必要がある。
【０００３】
工作機械の温度を安定化する方法としては、循環ポンプにより工作機械内に温度制御用媒体液（熱媒体液）を循環させる方法が一般的に採用されている。この方法では、工作機械の温度が所望温度よりも低い場合には媒体液による加温、工作機械の温度が所定温度よりも高い場合には媒体液による冷却が行われる。また、温度制御用媒体液は循環ポンプの潤滑剤としての役割も担っている。このような温度制御用媒体液としては、工作機械の腐食防止、熱安定性、酸化安定性等の点から、鉱油系熱媒体油が多用されている。
【０００４】
しかしながら、鉱油系熱媒体油は比熱が小さいため、温度制御用媒体液としての特性が必ずしも十分とは言えず、上述のようなサブミクロン単位の工作精度が要求される工作機械に適用した場合に所望の工作精度が得られないことが多い。また、フル生産体制の（すなわち工作機械の稼働率が高い）大規模工場やオートメーション化された無人の工場では、引火性を有する鉱油系熱媒体油の使用は安全上望ましいとは言えない。
【０００５】
このような背景の下、本出願人は、鉱油系熱媒体油の欠点を解消するものとして、工作機械温度制御用水性媒体液を開発し、特開平８−１０９３７０号公報においてこれを開示している。
【０００６】
【発明が解決しようとする課題】
しかしながら、従来の水性媒体液の場合、例えば冬季の寒冷地では工作機械の夜間停止時に凍結しやすいなど、その使用環境が制限される。また、従来の水性媒体液は、工作機械を構成する金属製部材（特にアルミニウム製部材）との適合性の点で改善の余地がある。さらに、近年の工作機械の小型化に伴い循環ポンプは小型化・高出力化しており、その潤滑剤である水性媒体液にはより高い潤滑性が求められている。
【０００７】
本発明は、上記従来技術の有する課題に鑑みてなされたものであり、十分に広い温度領域で使用可能であり、且つ金属製部材との適合性や潤滑性に優れた工作機械温度制御用水性媒体液を提供することを目的とする。
【０００８】
【課題を解決するための手段】
上記課題を解決するために、本発明の工作機械温度制御用水性媒体液は、水を基材とし、媒体液全量基準で、（Ａ）数平均分子量５０００〜２００００のポリオキシアルキレン化合物１〜２０質量％と、（Ｂ）ベンゾトリアゾール及び／又はその誘導体０．００５〜０．１質量％と、（Ｃ）プロピレングリコール及び／又はジエチレングリコール５〜３０質量％とを含有することを特徴とする。
【０００９】
本発明によれば、基材である水中に上記（Ａ）〜（Ｃ）成分をそれぞれ特定量含有せしめることによって、凍結防止性、腐食防止性、磨耗防止性の全てがバランスよく高められるため、水性媒体液の使用可能な温度領域を十分に広くすることができ、さらに、金属製部材との適合性や潤滑性をも高水準で達成することができる。従って、本発明の工作機械温度制御用水性媒体液を工作機械に適用することにより、冬季の寒冷地における夜間停止時の媒体液の凍結並びにその後の工作機械の始動不能、循環ポンプの軸受部等の金属製部材（特にアルミニウム製部材）の腐食による媒体液の漏洩及び羽根車の羽の破損、循環ポンプを構成する部材の磨耗等の現象を防止することが可能となる。
【００１０】
【発明の実施の形態】
以下、本発明の好適な実施形態について詳細に説明する。
【００１１】
本発明では、（Ａ）成分として数平均分子量５０００〜２００００のポリオキシアルキレン化合物が使用される。
【００１２】
かかるポリオキシアルキレン化合物において、ポリオキシアルキレン鎖を構成するオキシアルキレン基は、炭素数が好ましくは２〜４（より好ましくは２〜３）のアルキレン基と酸素とで構成される。炭素数２〜４のアルキレン基としては、エチレン基、プロピレン基（１−メチルエチレン基、２−メチルエチレン基）、トリメチレン基、ブチレン基（１−エチルエチレン基、２−エチルエチレン基）、ジメチルエチレン基（１，１−ジメチルエチレン基、１，２−ジメチルエチレン基、２．２−ジメチルエチレン基）、１−メチルトリメチレン基、２−メチルトリメチレン基、３−メチルトリメチレン基、テトラメチレン基等が挙げられる。
【００１３】
本発明で使用されるポリオキシアルキレン化合物は、ポリオキシアルキレン鎖を構成するオキシアルキレン基が全て同種であってもよく、また、２種以上のオキシアルキレン基が規則的に又は不規則に（種類毎にブロックを形成している場合を含む）結合していてもよい。すなわち、当該ポリオキシアルキレン化合物は、交互共重合体、ブロック共重合体、ランダム共重合体のいずれであってもよい。
【００１４】
このようなポリオキシアルキレン化合物の中でも、ポリオキシアルキレン鎖がオキシエチレン基とオキシプロピレン基とで構成されるものを用いると、水に対する溶解性、媒体液の貯蔵安定性、並びに磨耗防止性がより高水準で達成されるので好ましい。この場合、オキシエチレン基とオキシアルキレン基との割合は任意に選択できるが、オキシエチレン基／オキシプロピレン基のモル比が好ましくは３０／７０〜９０／１０、より好ましくは４０／６０〜８０／２０の範囲内であることが望ましい。
【００１５】
また、ポリオキシアルキレン鎖の両端の末端基は、共に水酸基であって差し支えないが、いずれか一方が１価アルコールの残基（１価アルコールから水酸基を除いた基）又は多価アルコールの残基（多価アルコールから少なくとも１つの水酸基を除いた基）とエーテル結合によって結合していることが好ましく、特に、一方の末端基が多価アルコールの残基とエーテル結合によって結合しており、他方の末端基が水酸基であるか、または１価アルコールの残基とエーテル結合によって結合しているものが望ましい。上記残基がエーテル結合によってポリオキシアルキレン鎖と結合する１価のアルコールには、炭素数１〜１８の、好ましくは炭素数１〜１２のアルキル基、炭素数２〜１８、好ましくは炭素数２〜１２のアルケニル基、炭素数６〜１０のアリール基、アルキルアリール基、アリールアルキル基などを有するアルコールが包含される。具体的には、メチルアルコール、エチルアルコール、プロピルアルコール、イソプロピルアルコール、ブチルアルコール、イソブチルアルコール、ｓｅｃ−ブチルアルコール、ｔｅｒｔ−ブチルアルコール、ペンチルアルコール（全ての異性体を含む）、ヘキシルアルコール（全ての異性体を含む）、ヘプチルアルコール（全ての異性体を含む）、オクチルアルコール、（全ての異性体を含む）、ノニルアルコール（全ての異性体を含む）、デシルアルコール（全ての異性体を含む）、ウンデシルアルコール（全ての異性体を含む）、ドデシアルコール（全ての異性体を含む）、トリデシルアルコール（全ての異性体を含む）、テトラデシルアルコール（全ての異性体を含む）、ペンタデシル基（全ての異性体を含む）、ヘキサデシルアルコール（全ての異性体を含む）、ヘプタデシルアルコール（全ての異性体を含む）、オクタデシルアルコール（全ての異性体を含む）、ビニルアルコール、プロペニルアルコール、イソプロペニルアルコール、ブテニル基（全ての異性体を含む）、ブタジエニルアルコール、ペンテニルアルコール（全ての異性体を含む）、ヘキセニルアルコール（全ての異性体を含む）、ヘプテニルアルコール（全ての異性体を含む）、オクテニルアルコール（全ての異性体を含む）、ノネニルアルコール（全ての異性体を含む）、デセニルアルコール（全ての異性体を含む）、ウンデセニルアルコール（全ての異性体を含む）、ドデセニルアルコール（全ての異性体を含む）、トリデセニルアルコール（全ての異性体を含む）、テトラデセニルアルコール（全ての異性体を含む）、ペンタデセニルアルコール（全ての異性体を含む）、ヘキサデセニルアルコール（全ての異性体を含む）、ヘプタデセニルアルコール（全ての異性体を含む）、オクタデセニルアルコール（全ての異性体を含む）、オレイルアルコールなどのアルケニルアルコール、フェノール、ナフトール、クレゾール（全ての異性体を含む）、ジメチルフェノール（全ての異性体を含む）、エチルフェノール（全ての異性体を含む）、プロピルフェノール（全ての異性体を含む）、エチルメチルフェノール（全ての異性体を含む）、トリメチルフェノール（全ての異性体を含む）、ブチルフェノール（全ての異性体を含む）、メチルプロピルフェノール（全ての異性体を含む）、ジエチルフェノール（全ての異性体を含む）、エチルジメチルフェノール（全ての異性体を含む）、テトラメチルフェノール（全ての異性体を含む）、ペンチルフェノール（全ての異性体を含む）、ヘキシルフェノール（全ての異性体を含む）、ヘプチルフェノール（全ての異性体を含む）、オクチルフェノール（全ての異性体を含む）、ノニルフェノール（全ての異性体を含む）、デシルフェノール（全ての異性体を含む）、ウンデシルフェノール（全ての異性体を含む）、ドデシルフェノール（全ての異性体を含む）、ベンジルアルコール、メチルベンジルアルコール（全ての異性体を含む）、ジメチルベンジルアルコール（全ての異性体を含む）、フェネチルアルコール、メチルフェネチルアルコール（全ての異性体を含む）、ジメチルフェネチルアルコール（全ての異性体を含む）が含まれる。
【００１６】
また、残基がエーテル結合によってポリオキシアルキレン鎖と結合する多価アルコールには、２価〜２０価の、好ましくは２価〜１６価の多価アルコールが包含される。具体的には、エチレングリコール、プロピレングリコール、トリメチレングリコール、ブチレングリコール、１，１−ジメチルエチレングリコール、１，２−ジメチルエチレングリコール、１−メチルトリメチレングリコール、２−メチルトリメチレングリコール、２−エチルエチレングリコール、テトラメチレングリコール、２−プロピルエチレングリコール、２−ブチルエチレングリコール、２，２−ジメチルトリメチレングリコールなどが２価アルコール、グリセリン、ポリグリセリン（グリセリンの２〜１８量体、例えばジグリセリン、トリグリセリン、テトラグリセリンなど）、トリメチロールアルカン（トリメチロールエタン、トリメチロールプロパン、トリメチロールブタンなど）及びこれらの２〜３量体、モノペンタエリスリトール、ジペンタエリスリトール、トリペンタエリスリトール、１，３，５−ペンタントリオール、ソルビトール、ソルビタン、ソルビトールグリセリン縮合物、アドニトール、アラビトール、キシリトール、マンニトールなどの３価以上の多価アルコール、３価以上の多価アルコールの部分エーテル化物、または部分エステル化物、キシロース、アラビノース、リボース、ラムノース、グルコース、フルクトース、ガラクトース、マンノース、ソルボース、セルビオース、マルトース、イソマルトース、トレハロース、シュクロース、ラフィノース、ゲンチアノース、メレジトースなどの糖類ならびにこれらの部分エーテル化物、部分エステル化物及びメチルグルコシド（配糖体）等が含まれる。
【００１７】
これらの中でも、グリセリン、トリメチロールアルカン（トリメチロールエタン、トリメチロールプロパン、トリメチロールブタンなど）、モノペンタエリスリトール、１，３，５−ペンタントリオール、ソルビトール、ソルビタン、ソルビトールグリセリン縮合物、アドニトール、アラビトール、キシリトール、マンニトールなどの多価アルコールが好ましい。
【００１８】
なお、多価アルコールの残基とポリオキシアルキレン鎖とがエーテル結合によって結合する場合、１つの残基に１つのポリオキシアルキレン鎖が結合していてもよく、１つの残基に複数のポリオキシアルキレン鎖が結合していてもよい。
【００１９】
本発明で使用されるポリオキシアルキレン化合物の中にあって、ポリオキシエチレンポリオキシプロピレングリコール、及びこのモノアルキルエーテル、ジアルキルエーテルや多価アルコールエーテル並びにこれらの混合物などは、水に対する溶解性に優れ、貯蔵安定性が良好であり、しかも、循環ポンプを摩損することが極めて少ないので、本発明の（Ａ）成分として特に好ましい。なお、上記のポリオキシエチレンオキシプロピレングリコールにおけるオキシエチレン基とオキシプロピレン基の割合は任意に選択できるが、オキシエチレン基／オキシプロピレン基のモル比が好ましくは３０／７０〜９０／１０、より好ましくは４０／６０〜８０／２０の範囲内であることが望ましい。
【００２０】
（Ａ）成分であるポリオキシアルキレン化合物の数平均分子量は５０００以上、好ましくは７０００以上である。数平均分子量が５０００未満であるポリオキシアルキレン化合物を使用した場合には、組成物の工作機械温度制御用媒体液としての粘度を適正に保持することができず、媒体液の循環ポンプが磨耗しやすくなる。また、当該数平均分子量は２００００以下、好ましくは１５０００以下である。数平均分子量が２００００を超えるポリオキシアルキレン化合物を使用した場合は、工作機械に媒体液を使用したときに媒体液の粘度低下が起こりやすくなり、この場合も媒体液の循環ポンプが磨耗しやすくなる。
【００２１】
本発明の工作機械温度制御用媒体液における（Ａ）成分の含有量は、媒体液全量基準で１〜２０質量％の範囲内であることが必要である。（Ａ）成分の含有量が前記の範囲外であると、媒体液の凍結防止性、腐食防止性、磨耗防止性の全てを高水準で達成することができなくなる。特に、（Ａ）成分の含有量が１質量％未満の場合は温度制御用媒体液として適正な粘度を確保できず媒体液の循環ポンプを摩損する恐れがある。同様の理由から、（Ａ）成分の含有量は３質量％以上であることが好ましい。また、（Ａ）成分の含有量が２０質量％を超える場合は、水に対する溶解性が低下して媒体液の貯蔵安定性が不十分となる。同様の理由から、（Ａ）成分の含有量は１５質量％以下であることが好ましく、１０質量％以下であることがより好ましい。
【００２２】
本発明の（Ｂ）成分は、ベンゾトリアゾール及び／またはベンゾトリアゾール誘導体である。ここで、ベンゾトリアゾールは下記式（１）で表すことができる。また、ベンゾトリアゾール誘導体には、下記式（２）で表されるアルキルベンゾトリアゾールと、下記式（３）で表される（アルキル）アミノアルキルベンゾトリアゾールとが包含される。
【００２３】
【化１】
2004059693.tif 000002
【００２４】
【化２】
2004059693.tif 000003
【００２５】
【化３】
2004059693.tif 000004
上記式（２）において、Ｒ１は炭素数１〜４のアルキル基を表す。かかるアルキル基としては、具体的には、メチル基、エチル基、ｎ−プロピル基、イソプロピル基、ｎ−ブチル基、イソブチル基、ｓｅｃ−ブチル基、ｔｅｒｔ−ブチル基等が挙げられる。また、ａは１〜３の整数を表す。
【００２６】
また、上記式（３）において、Ｒ２は炭素数１〜４のアルキル基を表し、Ｒ３はメチレン基又はエチレン基を表す。Ｒ２で表されるアルキル基としては、上記Ｒ１の説明で例示されたアルキル基が挙げられる。Ｒ４及びＲ５は同一でも異なっていてもよく、それぞれ水素原子または炭素数１〜１８のアルキル基を表し、ｂは０〜３の整数を表す。Ｒ４及びＲ５の具体例としては、水素原子、メチル基、エチル基、プロピル基、イソプロピル基、ブチル基（全ての異性体を含む）、ペンチル基（全ての異性体を含む）、ヘキシル基（全ての異性体を含む）、ヘプチル基（全ての異性体を含む）、オクチル基（全ての異性体を含む）、ノニル基（全ての異性体を含む）、デシル基（全ての異性体を含む）、ウンデシル基（全ての異性体を含む）、ドデシル基（全ての異性体を含む）、トリデシル基（全ての異性体を含む）、テトラデシル基（全ての異性体を含む）、ペンタデシル基（全ての異性体を含む）、ヘキサデシル基（全ての異性体を含む）、ヘプタデシル基（全ての異性体を含む）、オクタデシル基（全ての異性体を含む）等が挙げられる。
【００２７】
式（２）で示されるベンゾトリアゾール誘導体の中にあって、Ｒ１がメチル基又はエチル基であり、ａが１又は２である化合物、例えば、メチルベンゾトリアゾール（トリルトリアゾール）、ジメチルベンゾトリアゾール、エチルベンゾトリアゾール、エチルメチルベンゾトリアゾール、ジエチル　　ベンゾトリアゾール及びこれらの混合物を用いると、媒体液の腐食防止性をより高めることができるので好ましい。
【００２８】
また、式（３）で表されるベンゾトリアゾール誘導体の場合は、Ｒ２がメチル基、ｂが０又は１、Ｒ３がメチレン基又はエチレン基、Ｒ４及びＲ５がそれぞれ炭素数１〜１２のアルキル基であるジアルキルアミノアルキルベンゾトリアゾール又はジアルキルアミノアルキルトリルトリアゾール並びにこれらの混合物が、媒体液の腐食防止性の点で好ましい。
【００２９】
好ましいジアルキルアミノアルキルベンゾトリアゾールとしては、具体的には、ジメチルアミノメチルベンゾトリアゾール、ジエチルアミノメチルベンゾトリアゾール、ジプロピルアミノメチルベンゾトリアゾール（プロピル基の各異性体を含む）、ジブチルアミノメチルベンゾトリアゾール（ブチル基の各異性体を含む）、ジペンチルアミノメチルベンゾトリアゾール（ペンチル基の各異性体を含む）、ジヘキシルアミノメチルベンゾトリアゾール（ヘキシル基の各異性体を含む）、ジヘプチルアミノメチルベンゾトリアゾール（ヘプチル基の各異性体を含む）、ジオクチルアミノメチルベンゾトリアゾール（オクチル基の各異性体を含む）、ジノニルアミノメチルベンゾトリアゾール（ノニル基の各異性体を含む）、ジデシルアミノメチルベンゾトリアゾール（デシル基の各異性体を含む）、ジウンデシルアミノメチルベンゾトリアゾール（ウンデシル基の各異性体を含む）、ジドデシルアミノメチルベンゾトリアゾール（ドデシル基の各異性体を含む）、ジメチルアミノエチルベンゾトリアゾール、ジエチルアミノエチルベンゾトリアゾール、ジプロピルアミノエチルベンゾトリアゾール（プロピル基の各異性体を含む）、ジブチルアミノエチルベンゾトリアゾール（ブチル基の各異性体を含む）、ジペンチルアミノエチルベンゾトリアゾール（ペンチル基の各異性体を含む）、ジヘキシルアミノエチルベンゾトリアゾール（ヘキシル基の各異性体を含む）、ジヘプチルアミノエチルベンゾトリアゾール（ヘプチル基の各異性体を含む）、ジオクチルアミノエチルベンゾトリアゾール（オクチル基の各異性体を含む）、ジノニルアミノエチルベンゾトリアゾール（ノニル基の各異性体を含む）、ジデシルアミノエチルベンゾトリアゾール（デシル基の各異性体を含む）、ジウンデシルアミノエチルベンゾトリゾール（ウンデシル基の各異性体を含む）、ジドデシルアミノエチルベンゾトリアゾール（ドデシル基の各異性体を含む）等が挙げられる。
【００３０】
また、好ましいジアルキルアミノアルキルトリルトリアゾールとしては、具体的には、ジメチルアミノメチルトリルトリアゾール、ジエチルアミノメチルトリルトリアゾール、ジプロピルアミノメチルトリルトリアゾール（プロピル基の各異性体を含む）、ジブチルアミノメチルトリルトリアゾール（ブチル基の各異性体を含む）、ジペンチルアミノメチルトリルトリアゾール（ペンチル基の各異性体を含む）、ジヘキシルアミノメチルトリルトリアゾール（ヘキシル基の各異性体を含む）、ジヘプチルアミノメチルトリルトリアゾール（ヘプチル基の各異性体を含む）、ジオクチルアミノメチルトリルトリアゾール（オクチル基の各異性体を含む）、ジノニルアミノメチルトリルトリアゾール（ノニル基の各異性体を含む）、ドデシルアミノメチルトリルトリアゾール（デシル基の各異性体を含む）、ジウンデシルアミノメチルトリルトリアゾール（ウンデシル基の各異性体を含む）、ジドデシルアミノメチルトリルトリアゾール（ドデシル基の各異性体を含む）、ジメチルアミノエチルトリルトリアゾールジエチルアミノエチルトリルトリアゾール、ジプロピルアミノエチルトリルトリアゾール（プロピル基の各異性体を含む）、ジブチルアミノエチルトリルトリアゾール（ブチル基の各異性体を含む）、ジペンチルアミノエチルトリルトリアゾール（ペンチル基の各異性体を含む）、ジヘキシルアミノエチルトリルトリアゾール（ヘキシル基の各異性体を含む）、ジヘプチルアミノエチルトリルトリアゾール（ヘプチル基の各異性体を含む）、イオクチルアミノエチルトリルトリアゾール（オクチル基の各異性体を含む）、ジノニルアミノエチルトリルトリアゾール（ノニル基の各異性体を含む）、ジデシルアミノエチルトリルトリアゾール（デシル基の各異性体を含む）、ジウンデシルアミノエチルトリルトリアゾール（ウンデシル基の各異性体を含む）、ジドデシルアミノエチルトリルトリアゾール（ドデシル基の各異性体を含む）等が挙げられる。
【００３１】
本発明の（Ｂ）成分としては、上記式（１）〜（３）で表される化合物のうちのいずれか１種を単独で、または２種以上を任意の割合で混合して使用することができるが、水に対する溶解性の点から、式（１）で表されるベンゾトリアゾールを単独で使用することが好ましい。
【００３２】
本発明の工作機械温度制御用媒体液における（Ｂ）成分の含有量は、媒体液全量基準で、０．００５〜０．１質量％の範囲内であることが必要である。（Ｂ）成分の含有量が前記の範囲外であると、媒体液の凍結防止性、腐食防止性、磨耗防止性の全てを高水準で達成することができなくなる。特に、（Ｂ）成分の含有量が０．００５質量％未満であると、媒体液の腐食防止性が不十分となる。同様の理由から、（Ｂ）成分の含有量は０．０１重量％以上であることが好ましい。また、（Ｂ）成分の含有量が０．１質量％を超える場合は、（Ｂ）成分が水に溶解しにくくなり、媒体液の貯蔵安定性が不十分となる。同様の理由から、（Ｂ）成分の含有量は０．０７重量％以下であることが好ましい。
【００３３】
本発明にかかる（Ｃ）成分は、プロピレングリコール及び／又はジエチレングリコールである。
【００３４】
本発明においては、プロピレングリコール又はジエチレングリコールのいずれか１種を単独で、または２種を任意に割合で混合して使用することができるが、プロピレングリコールを単独で用いることが好ましい。
【００３５】
本発明の工作機械温度制御用媒体液における（Ｃ）成分の含有量は、媒体液全量基準で５〜３０質量％の範囲内であることが必要である。（Ｃ）成分の含有量が前記の範囲外であると、媒体液の凍結防止性、腐食防止性、磨耗防止性の全てを高水準で達成することができない。特に、（Ｃ）成分の含有量が５質量％未満であると、媒体液の凍結防止性、腐食防止性、磨耗防止性の全てが不十分となる。同様の理由から、（Ｃ）成分の含有量は１０質量％以上であることが好ましい。また、（Ｃ）成分の含有量が３０質量％を超えると、（Ｃ）成分が水に溶けにくくなり、媒体液の貯蔵安定性が不十分となる。同様の理由から、（Ｃ）成分の含有量は２５質量％以下であることが好ましい。
【００３６】
このように、本発明の工作機械温度制御用媒体液は、上記（Ａ）〜（Ｃ）成分をそれぞれ特定量含有するものであるが、必要に応じて（Ａ）〜（Ｃ）成分以外の添加剤の１種または２種以上を配合することができる。かかる添加剤としては、例えば、メチルアミン、ジメチルアミン、トリエチルアミン、エチルアミン、ジエチルアミン、トリエチルアミン等の脂肪族アミン、エタノールアミン、ジエタノールアミン等の脂肪族アルカノールアミン、シクロヘキシルアミン、モルホリン等の脂環族アミン等で代表されるｐＨ調整剤；上記した脂肪族アミン、脂肪族アルカノールアミン、脂環族アミン及びこれらのアルキル金属塩、カプリル酸、カプリン酸、ラウリン酸等の脂肪酸及びこれらのアミン塩等で代表される錆止め剤；トリクレジルホスフェート、トリフェニルホスフェート、ジチオリン酸亜鉛等の極圧剤；アルカリ土類金属スルホネート、アルカリ土類金属フェネート、アルカリ土類金属サリシレート、アルカリ土類金属ホスホネート等の金属系清浄剤；コハク酸イミド、コハク酸エステル、ベンジルアミン等の無灰分散剤；シリコーン等の消泡剤；ポリメタクリレート、ポリイソブチレン、ポリスチレンなどの流動点降下剤等が挙げられる。これらの添加剤を配合する場合、消泡剤以外の添加剤の配合量は、媒体液全量基準で、０．１〜１５重量％の範囲とするのが通例であって、消泡剤の場合は、０．０００５〜１重量％の範囲とするのが通例である。
【００３７】
また、本発明の工作機械温度制御用媒体液の動粘度は特に制限されないが、４０℃における動粘度は、０．５〜１０ｍｍ２／ｓであることが好ましく、１〜５ｍｍ２／ｓであることがより好ましい。媒体液の動粘度が前記の範囲内であると、磨耗防止性がより高められ、媒体液循環ポンプの摩耗をより確実に防止することができる。
【００３８】
【実施例】
以下、実施例及び比較例に基づき本発明をさらに具体的に説明するが、本発明は以下の実施例に何ら限定されるものではない。
【００３９】
［実施例１〜６、比較例１〜３］
（媒体液の調製）
実施例１〜６及び比較例１〜３では、（Ａ）〜（Ｃ）成分として以下に示す化合物を用い、これらを表１に示す割合で水に配合して媒体液を調製した。得られた媒体液の４０℃における動粘度を表１に示す。
【００４０】
（Ａ）成分
Ａ１：ポリオキシエチレンオキシプロピレングリコールのソルビタンモノエーテル化物（数平均分子量：７０００、オキシエチレン基／オキシプロピレン基のモル比：６５／３５）
Ａ２：ポリオキシエチレンオキシプロピレングリコール（数平均分子量１００００、オキシエチレン基／オキシプロピレン基のモル比：６０／４０）
Ａ３：ポリオキシプロピレングリコールモノメチルエーテル（数平均分子量：７０００）
（Ｂ）成分
Ｂ１：ベンゾトリアゾール
Ｂ２：トリルトリアゾール
Ｂ３：ジデシルアミノメチルトリルトリアゾール
（Ｃ）成分
Ｃ１：プロピレングリコール
Ｃ２：ジエチレングリコール。
【００４１】
次に、得られた媒体液を用いて以下の評価試験を行った。
【００４２】
（凍結防止性の評価）
温度計を装着した空気ジャケット付試験管に媒体液１００ｍｌを入れて、試験管をドライアイス及び冷媒用薬品（メタノール）の入ったジュワー瓶に入れた。ジュワー瓶にドライアイスをさらに投入して冷却速度１℃／分で冷却し、媒体液の凍結温度を測定した。得られた結果を表１に示す。
【００４３】
（腐食防止性の評価）
以下の手順に従って、アルミニウム鋳物に対する腐食防止性を評価した。
【００４４】
先ず、縦約５０ｍｍ、横約２５ｍｍ、厚み約３ｍｍのアルミニウム鋳物（ＪＩＳ　Ｈ　５２０２のＡＣ２Ａ−Ｆ）の各辺を測定して全表面積を求め、また、試験片の質量を測定した。次に、９０℃に加熱した媒体液７５０ｍｌ中にこの試験片を浸漬し、媒体液中に１００ｍｌ／分の乾燥空気を吹き込んだ。乾燥空気の供給開始から２時間経過後に試験片を取り出し、ナイロンブラシで付着物を除去して水洗し、さらに硝酸１００ｍｌ中に浸漬した後で水洗した。この試験片を乾燥させて質量を測定し、単位面積当たりの質量変化（ｍｇ／ｃｍ２）を求めた。得られた結果を表１に示す。なお、表１中、マイナス符号は試験後の試験片の質量が低下したことを意味する。例えば「−０．２５（ｍｇ／ｃｍ２）」は試験片の質量が試験後に０．２５ｍｇ／ｃｍ２減少していたことを意味する。
【００４５】
（磨耗防止性の評価）
ＡＳＴＭ　Ｄ　３２３３−９３“　Ｓｔａｎｄａｒｄ　Ｔｅｓｔ　Ｍｅｔｈｏｄｓ　ｆｏｒ　Ｍｅａｓｕｒｅｍｅｎｔ　ｏｆ　Ｅｘｔｒｅａｍ　Ｐｒｅｓｓｕｒｅ　Ｐｒｏｐｅｒｔｉｅｓ　ｏｆ　Ｆｌｕｉｄ　Ｌｕｂｒｉｃａｎｔｓ　（Ｆａｌｅｘ　Ｐｉｎ　Ｖｅｅ　Ｂｌｏｃｋ　Ｍｅｔｈｏｄｓ）　”に規定する試験機を摩耗量測定のために改良した試験方法でＦＡＬＥＸ摩耗試験を行い、試験後のピン及びブロックの磨耗量を測定した。得られた結果を表１に示す。
【００４６】
なお、ピン（ジャーナル）は外径６．３５ｍｍ（１／４インチ）、長さ３１．７５ｍｍ（１・１／４インチ）の鋼製を、Ｖ型ブロックには角度９６度の鋼製を用いた。試験条件は回転数１３００ｒｐｍ、Ｄｉｒｅｃｔ　Ｌｏａｄ３０ｌｂｓ、試験時間２０時間で行った。
【００４７】
【表１】
2004059693.tif 000005
表１に示した結果から明らかなように、実施例１〜６の媒体液においては、凍結防止性、腐食防止性及び磨耗防止性が高水準でバランスよく達成されていることが確認された。
【００４８】
【発明の効果】
以上説明した通り、本発明の工作機械温度制御用水性媒体液は、十分に広い温度領域で工作機械の温度を制御でき、且つ金属製部材との適合性や潤滑性に優れたものである。従って、本発明の水性媒体液を工作機械に適用することによって、冬季の寒冷地における夜間停止時の媒体液の凍結並びにその後の工作機械の始動不能、循環ポンプの軸受部等の金属製部材（特にアルミニウム製部材）の腐食による媒体液の漏洩及び羽根車の羽の破損、循環ポンプを構成する部材の磨耗等の現象を防止することが可能となる。